(57)【要約】【課題】本発明は、制御の複雑化や消費電力の増大を招くことなく、ユーザに対して本体機器の動作状態を報知することが可能なリモートコントローラを提供することを目的とする。【解決手段】本発明は、入力操作部Ａ１と、液晶表示部Ａ２と、バックライトＡ３と、ＣＰＵＡ４と、を有して成るリモコンＡにおいて、バックライトＡ３は少なくとも２種類の発光色を有しており、ＣＰＵＡ４は、バックライトＡ３を携帯電話機Ｂの動作状態に応じた発光色（例えば、通常時；黄緑、着信時；赤）で点灯または点滅させた後に消灯する構成としている。【選択図】　　　図１
2004128831.tif 000002
【特許請求の範囲】
【請求項１】
本体機器への入力操作を受け付ける入力操作部と、透過型の液晶表示部と、該液晶表示部を背面から照らすバックライトと、前記本体機器との信号授受や前記液晶表示部の表示制御及び前記バックライトの点消灯制御を行う中央演算処理部と、を有して成るリモートコントローラにおいて、
前記バックライトは、少なくとも２種類の発光色を有しており、前記中央演算処理部は、前記バックライトを前記本体機器の動作状態に応じた発光色で点灯または点滅させた後に消灯することを特徴とするリモートコントローラ。
【請求項２】
前記本体機器は通信機器であり、該通信機器の着信時、前記中央演算処理部は、前記バックライトを非着信時と異なる発光色で点灯または点滅させた後に消灯することを特徴とする請求項１に記載のリモートコントローラ。
【請求項３】
前記バックライトの発光色は、前記通信機器の着信種類に応じて異なることを特徴とする請求項２に記載のリモートコントローラ。
【発明の詳細な説明】
【０００１】
【発明の属する技術分野】
本発明は、透過型液晶表示部を有するリモートコントローラに関するものであり、特にリモートコントローラのバックライト点消灯制御に関する。
【０００２】
【従来の技術】
近年、不揮発性外部メモリ（コンパクト型フラッシュメモリなど）の着脱スロットとヘッドフォン（ステレオインナーフォン）接続端子を有し、外部メモリに格納されたオーディオデータを再生可能な携帯電話機が普及し始めている。このようなオーディオ再生機能付き携帯電話機は、一般に液晶表示部を有するリモートコントローラ（以下、リモコンと呼ぶ）を接続可能な構成とされており、ユーザは該リモコンを操作することでオーディオデータの再生制御を行うことができる。なお、液晶表示部は、画素構成の違いにより、バックライトを用いて高輝度表示が可能な透過型と、外光を利用して低電力駆動が可能な反射型に分類されるが、リモコンの液晶表示部には高い視認性が要求されるため、その型式は一般に透過型とされている。
【０００３】
【特許文献１】
特開平１１−２２０５２４号公報
【０００４】
【発明が解決しようとする課題】
確かに、上記構成から成るリモコンを用いれば、携帯電話機本体をカバン等に収納したまま、手元でオーディオ再生を操作することができるので、ユーザにとって非常に使い勝手がよい。
【０００５】
しかしながら、上記構成から成るリモコンは、あくまでオーディオ再生操作を主目的として携帯電話機に接続されるものであり、制御の複雑化を回避する観点から、その液晶表示部には、オーディオ再生に関する情報（再生トラック名、再生トラック番号、再生経過時間など）しか表示しない構成とされていた。そのため、携帯電話機本体をカバン等に収容し、リモコンでオーディオ再生を操作しているユーザ（特に、公共交通機関等で他人の迷惑とならないように、携帯電話機本体及びヘッドフォンの着信音を鳴らさない設定としているユーザ）には、携帯電話機の着信など、その動作状態が認識されにくいという課題があった。
【０００６】
なお、特許文献１に開示された従来技術（通信機器本体に設けられた透過型液晶表示部のバックライトを受信モードに応じた発光色で点灯させる技術）をリモコンのバックライト点消灯制御に適用すれば、上記状況のユーザに対しても携帯電話機の着信を報知することが可能である。しかしながら、上記文献に開示された通信端末装置は、本体液晶表示部のバックライトを発光させる構成であり、着信を認識したユーザが引き続いて内容確認操作や応答操作を行いやすいように、着信報知後もバックライトを点灯し続ける構成であった。そのため、上記技術をそのままリモコンのバックライト点消灯制御に適用すると、着信報知後もリモコンのバックライトで電流が浪費されてしまい、携帯電話機の駆動時間が短くなるという課題があった。
【０００７】
本発明は、上記の問題点に鑑み、制御の複雑化や消費電力の増大を招くことなく、ユーザに対して本体機器の動作状態を報知することが可能なリモートコントローラを提供することを目的とする。
【０００８】
【課題を解決するための手段】
上記目的を達成するために、本発明に係るリモートコントローラは、本体機器への入力操作を受け付ける入力操作部と、透過型の液晶表示部と、該液晶表示部を背面から照らすバックライトと、前記本体機器との信号授受や前記液晶表示部の表示制御及び前記バックライトの点消灯制御を行う中央演算処理部と、を有して成るリモートコントローラにおいて、前記バックライトは、少なくとも２種類の発光色を有しており、前記中央演算処理部は、前記バックライトを前記本体機器の動作状態に応じた発光色で点灯または点滅させた後に消灯する構成としている。このような構成とすることにより、制御の複雑化や消費電力の増大を招くことなく、ユーザに対して本体機器の動作状態を報知することが可能なリモートコントローラを提供することが可能となる。
【０００９】
なお、上記構成から成るリモートコントローラにおいて、前記本体機器は通信機器であって、該通信機器の着信時、前記中央演算処理部は、前記バックライトを非着信時と異なる発光色で点灯または点滅させた後に消灯する構成にするとよい。このような構成とすることにより、制御の複雑化や消費電力の増大を招くことなく、ユーザに対して通信機器の着信報知を行うことが可能なリモートコントローラを提供することが可能となる。
【００１０】
また、上記構成から成るリモートコントローラにおいて、前記バックライトの発光色は、前記通信機器の着信種類に応じて異なる構成にするとよい。このような構成とすることにより、ユーザは液晶表示部のバックライト色を見るだけで着信種類を容易に識別することができる。
【００１１】
【発明の実施の形態】
以下では、オーディオ再生機能付き携帯電話機を手元で操作するためのリモートコントローラを例に挙げて、本発明の実施形態を詳細に説明する。
【００１２】
まず、本発明の第１実施形態について、図１を参照しながら詳細に説明する。図１は本発明に係るリモートコントローラの第１実施形態を示すブロック図である。本図に示す通り、本実施形態のリモートコントローラＡ（以下、リモコンＡと呼ぶ）は、携帯電話機Ｂへの入力操作を受け付ける入力操作部Ａ１と、透過型の液晶表示部Ａ２と、該液晶表示部Ａ２を背面から照らすバックライトＡ３と、携帯電話機ＢとのＵＡＲＴ［Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ］シリアルデータ通信や液晶表示部Ａ２の表示制御及びバックライトＡ３の点消灯制御を行うリモコンＣＰＵ［Ｃｅｎｔｒａｌ　Ｐｒｏｃｅｓｓｉｎｇ　Ｕｎｉｔ］Ａ４と、音声入力を受け付けるマイクＡ５と、ヘッドフォン（ステレオインナーフォン）を接続するためのヘッドフォンジャックＡ６と、を有して成る。
【００１３】
一方、本実施形態の携帯電話機Ｂは、リモコンＡとのＵＡＲＴシリアルデータ通信を含む装置全体の制御を行う本体ＣＰＵＢ１と、基地局（不図示）との無線通信を制御する無線通信部Ｂ２と、電波を送受信するためのアンテナＢ３と、を有して成る。なお、本図には示していないが、本実施形態の携帯電話機Ｂは、画像・文字情報等の出力を行う画面表示部や音声情報等の入出力を行う音声入出力部など、携帯電話機としての必須構成を当然に有して成る。また、本実施形態の携帯電話機Ｂは、外部メモリインターフェイス部（不図示）を有しており、着脱可能な不揮発性外部メモリ（コンパクト型フラッシュメモリなど）をオーディオデータの記録メディアとして用いることが可能な構成である。
【００１４】
上記構成から成るリモコンＡにおいて、入力操作部Ａ１は、それぞれ個別の機能を有する複数のスイッチＳＷ１〜ＳＷｎ（再生／停止スイッチ、早送り／巻き戻しスイッチ、ホールドスイッチなど）を有して成り、該スイッチＳＷ１〜ＳＷｎを操作することで、各スイッチに対応した抵抗Ｒ１〜Ｒｎ−１がリモコンスイッチ検出端子ＲＣと接地端子ＧＮＤとの間に接続されるように配線されて成る。リモコンスイッチ検出端子ＲＣは、抵抗Ｒ０を介して本体電源ラインにプルアップされている。従って、リモコン操作時におけるリモコンスイッチ検出端子ＲＣの電位は、各スイッチＳＷ１〜ＳＷｎに対応した直流電圧（抵抗Ｒ０と各スイッチに対応した抵抗Ｒ１〜Ｒｎ−１の合成抵抗値によって本体電源を分圧した値）となる。
【００１５】
リモコンスイッチ検出端子ＲＣで検出された直流電圧は、本体ＣＰＵＢ１のアナログ／ディジタル変換器Ｂ１３（以下、Ａ／Ｄ［Ａｎａｌｏｇ／Ｄｉｇｉｔａｌ］変換器Ｂ１３と呼ぶ）でスイッチＳＷ１〜ＳＷｎに対応したディジタル数値に変換される。本体ＣＰＵＢ１は、該ディジタル数値をポーリングした結果に基づいて、各スイッチＳＷ１〜ＳＷｎのうち、いずれのスイッチがどのように操作されたかを確定し、オーディオ再生機能や無線通話機能など、携帯電話機Ｂに設けられた各種機能を実行する。
【００１６】
液晶表示部Ａ２は、高い視認性を有する透過型であり、ここにはオーディオ再生に関する情報（再生トラック名、再生トラック番号、再生経過時間など）が表示される。なお、液晶表示部Ａ２の背面には、バックライトＡ３からの放射光を均等に拡散する導光板が設けられている。
【００１７】
バックライトＡ３は、それぞれ異なる色（黄緑、赤、黄、緑、橙）で発光する５つの発光ダイオードａ〜ｅ（以下、ＬＥＤａ〜ｅ）を有して成る。なお、ＬＥＤａ〜ｅのアノードは、それぞれ電流制限用の抵抗ｒａ〜ｒｅを介して電源端子ＰＷＲに接続されている。また、ＬＥＤａ〜ｅのカソードは、それぞれリモコンＣＰＵＡ４のバックライト点消灯制御端子ａ’〜ｅ’に接続されている。
【００１８】
リモコンＣＰＵＡ４は、液晶表示部Ａ２を制御する液晶コントロール部Ａ４１と、携帯電話機ＢとのＵＡＲＴシリアルデータ通信を制御するＵＡＲＴ制御部Ａ４２と、ＣＰＵ各部を統括的に制御するコアＣＰＵＡ４３と、動作プログラムが格納されたＲＯＭ［Ｒｅａｄ　Ｏｎｌｙ　Ｍｅｍｏｒｙ］Ａ４４と、ワーク領域として用いられるＲＡＭ［Ｒａｎｄｏｍ　Ａｃｃｅｓｓ　Ｍｅｍｏｒｙ］Ａ４５と、を有して成る。
【００１９】
液晶コントロール部Ａ４１は、液晶表示部Ａ２のドット制御及びセグメント・コモン制御を行い、携帯電話機ＢとのＵＡＲＴシリアルデータ通信に基づいた各種情報を液晶表示部Ａ２に表示させる。
【００２０】
ＵＡＲＴ制御部Ａ４２は、本体ＣＰＵＢ１内部に設けられたＵＡＲＴ制御部Ｂ１１との間でＵＡＲＴシリアルデータ通信を行い、液晶表示部Ａ２の各種表示情報を取得する。図２はＵＡＲＴシリアルデータ通信を説明するための図である。本図に示すように、ＵＡＲＴ制御部Ａ４２、Ｂ１１は、互いに数本の線で接続されており、データ送信時には、シリアルキャラクタフォーマットに変換されたディジタルデータが一定時間間隔で送信される。一方、データ受信時には、受信されたディジタルデータが一定時間間隔でパラレルフォーマットに変換される。
【００２１】
ＵＡＲＴ制御部Ａ４２は、機能的に３つの部分（ＵＡＲＴトランスミッタ、ＵＡＲＴレシーバ、ＵＡＲＴコントローラ）に分けることができる。ＵＡＲＴトランスミッタは、パラレル入力データを受け取り、フォーマットされたキャラクタを１ビットずつシリアル出力する。ＵＡＲＴレシーバは、ＵＡＲＴトランスミッタの逆変換を行うものであり、シリアル入力データからスタートビットを検出すると、以降のビットを集めてシリアルデータをパラレルデータに変換する。ＵＡＲＴトランスミッタ及びＵＡＲＴレシーバの動作は、クロック信号に同期する。なお、クロック信号周波数はシリアルビット伝送速度の１６倍であり、伝送速度が１２００［ｂｐｓ］の場合、クロック周波数は１９２００［Ｈｚ］となる。
【００２２】
ＵＡＲＴコントローラは、シリアルデータのフォーマットを決定する部分であり、該フォーマットには、データビット領域、ストップビット領域、使用されるデータの不具合を検出するためにパリティ領域（８ビットにつき１ビットの余分なメモリを付加した付加領域）などが含まれる。なお、パリティは、データの誤りを検出する技法の１つであり、データに含まれる１または０の数を計算し、その結果をパリティビットとしてデータに付加する。このようなパリティビットを付加しておけば、受信機器側では、受信したパリティビットと、受信データから再計算したパリティビットを比較することで、送受信が正常に完了したか否かを判断することができる。ただし、パリティでは、パリティビットも含めて奇数個のビット誤りは検出できるが、偶数個のビット誤りは検出できない。
【００２３】
コアＣＰＵＡ４３は、ＵＡＲＴ制御部Ａ４２を介して携帯電話機Ｂとの間でＵＡＲＴシリアルデータ通信を行い、該データ通信に基づいてバックライトＡ３を携帯電話機Ｂの着信種類に応じた発光色（通常時；黄緑、音声着信時；赤、メール着信時；黄、ステーション着信時；緑、Ｗｅｂ着信時；橙）で点灯または点滅させた後に消灯する（図３参照）。
【００２４】
上記したバックライトＡ３の点消灯制御について具体的に述べる。携帯電話機Ｂの通常時（非着信時）、コアＣＰＵＡ４３は本体ＣＰＵＢ１との間でＵＡＲＴシリアルデータ通信を行い、該データ通信に基づいてバックライト点消灯制御端子ａ’をロー電位とし、黄緑色のＬＥＤａを発光させる（図３（ａ）を参照）。その後、本体ＣＰＵＢ１１内のリアルタイムクロックＢ１２で設定された所定時間（例えば３秒）が経過すると、コアＣＰＵＡ４３は本体ＣＰＵＢ１との間で再度ＵＡＲＴシリアルデータ通信を行い、該データ通信に基づいてバックライト点消灯制御端子ａ’をハイ電位とし、ＬＥＤａを消灯する。
【００２５】
一方、携帯電話機Ｂの音声着信時、コアＣＰＵＡ４３は本体ＣＰＵＢ１との間でＵＡＲＴシリアルデータ通信を行い、該データ通信に基づいてバックライト点消灯制御端子ｂ’をロー電位とし、赤色のＬＥＤｂを発光させる（図３（ｂ）を参照）。その後、リアルタイムクロックＢ１２の設定時間が経過すると、コアＣＰＵＡ４３は本体ＣＰＵＢ１との間で再度ＵＡＲＴシリアルデータ通信を行い、該データ通信に基づいてバックライト点消灯制御端子ｂ’をハイ電位とし、ＬＥＤｂを消灯する。
【００２６】
同様に、携帯電話機Ｂのメール着信時、ステーション着信時、及びＷｅｂ着信時には、コアＣＰＵＡ４３によってバックライト点消灯制御端子ｃ’〜ｅ’がそれぞれロー電位とされ、黄色、緑色、及び橙色のＬＥＤｃ〜ｅが着信種類に応じて発光される（図３（ｃ）〜（ｅ）を参照）。その後、リアルタイムクロックＢ１２の設定時間が経過すると、コアＣＰＵＡ４３は本体ＣＰＵＢ１との間で再度ＵＡＲＴシリアルデータ通信を行い、該データ通信に基づいてバックライト点消灯制御端子ｃ’〜ｅ’をそれぞれハイ電位としＬＥＤｃ〜ｅを消灯する。
【００２７】
このような構成とすることにより、制御の複雑化や消費電力の増大を招くことなく、ユーザに対して携帯電話機Ｂの着信報知を行うことが可能なリモートコントローラを提供することが可能となる。また、バックライトＡ３の発光色が携帯電話機Ｂの着信種類に応じて異なる構成であれば、ユーザは液晶表示部Ａ２のバックライト色を見るだけで着信種類を容易に識別することができる。なお、携帯電話機Ｂの着信有無を報知するだけなら、バックライトＡ３を構成するＬＥＤは２種類だけでよく、コアＣＰＵＡ４３ではＵＡＲＴシリアルデータ通信によって携帯電話機Ｂの着信有無のみを検出すればよい。
【００２８】
次に、本発明の第２実施形態について、図４を参照しながら詳細に説明する。図４は本発明に係るリモートコントローラの第２実施形態を示すブロック図である。本図に示すように、本実施形態のリモコンＡ’は、５色のＬＥＤａ〜ｅから成るバックライトＡ３に代えて、ＲＧＢ３色ＬＥＤバックライト駆動回路Ａ３’を設けた構成である。
【００２９】
図５はＲＧＢ３色ＬＥＤバックライト駆動回路Ａ３’の一実施形態を示す回路図である。本図（ａ）に示すＲＧＢ３色ＬＥＤバックライト駆動回路Ａ３’は、ＲＧＢ３色ＬＥＤ（赤Ｄｒ、緑Ｄｇ、青Ｄｂ）と、各ＬＥＤをスイッチングする電界効果トランジスタＦＥＴ１〜ＦＥＴ３と、昇圧回路ＣＰと、を有して成る。
【００３０】
昇圧回路ＣＰは、コアＣＰＵＡ４３から与えられる制御信号に基いて出力電流レベルを一定に維持する定電流回路と、その電流レベルを制御する機能を有しており、電源から供給される電圧をＲＧＢ３色ＬＥＤ（Ｄｒ、Ｄｇ、Ｄｂ）の駆動に必要なレベルにまで昇圧して出力する。昇圧回路ＣＰの出力端子と接地端子との間には、ＲＧＢ３色ＬＥＤ（Ｄｒ、Ｄｇ、Ｄｂ）が直列に接続されている。各ＬＥＤの両端には、電界効果トランジスタＦＥＴ１〜３のソース及びドレインがそれぞれ接続されている。電界効果トランジスタＦＥＴ１〜３の各ゲートには、コアＣＰＵＡ４３からの制御信号が供給されている。
【００３１】
上記構成から成るＲＧＢ３色ＬＥＤバックライト駆動回路Ａ３’では、コアＣＰＵＡ４３からの制御信号に応じて、電界効果トランジスタＦＥＴ１〜３が個別にオン／オフ制御され、対応するＬＥＤへの電流供給が個別に制御される。このような構成であれば、ＲＧＢ３色ＬＥＤの点消灯及びその組合わせに応じて、３原色（赤、緑、青）以外の発光色（橙、黄、藍、紫、白など）を得ることができるので、携帯電話機Ｂの着信種類だけでなく、その動作状態（着信待受け状態、通話状態、オーディオ再生モード、カメラモード、フラッシュモード、マナーモード、車載モード等）に応じたバックライトＡ３の点消灯制御を行うことが可能となる（図３（ｆ）参照）。また、ＬＥＤの個数を最小限に抑えることができるので、バックライトＡ３に規模縮小にも貢献することができる。
【００３２】
次に、図５（ｂ）に示すＲＧＢ３色ＬＥＤバックライト駆動回路Ａ３’は、ＲＧＢ３色ＬＥＤ（赤Ｄｒ、緑Ｄｇ、青Ｄｂ）と、各ＬＥＤのカソードにパルス信号を供給するＰＷＭ［Ｐｕｌｓｅ　Ｗｉｄｔｈ　Ｍｏｄｕｌａｔｉｏｎ］回路Ｐ１〜Ｐ３と、昇圧回路ＣＰと、を有して成る。
【００３３】
昇圧回路ＣＰは、コアＣＰＵＡ４３から与えられる制御信号に基いて出力電流レベルを一定に維持する定電流回路と、その電流レベルを制御する機能を有しており、電源から供給される電圧をＲＧＢ３色ＬＥＤ（Ｄｒ、Ｄｇ、Ｄｂ）の駆動に必要なレベルにまで昇圧して出力する。昇圧回路ＣＰの出力端子と接地端子との間には、ＲＧＢ３色ＬＥＤ（Ｄｒ、Ｄｇ、Ｄｂ）が並列に接続されている。各ＬＥＤと接地端子との間にはＰＷＭ回路Ｐ１〜Ｐ３がそれぞれ接続されている。ＰＷＭ回路Ｐ１〜Ｐ３の各制御端子には、コアＣＰＵＡ４３からの制御信号が供給されている。
【００３４】
上記構成から成るＲＧＢ３色ＬＥＤバックライト駆動回路Ａ３’では、並列接続された各ＬＥＤに所定レベルの電流が順方向に一定供給される一方、各ＬＥＤのカソードに印加されるパルス信号のパルス幅が、コアＣＰＵＡ４３からの制御信号に応じて動作するＰＷＭ回路Ｐ１〜Ｐ３によって可変調整される。このような構成であれば、ＬＥＤの個数を増やさずに多種類の発光色を得ることができるだけでなく、各ＬＥＤの発光量を印加パルス幅に応じて微調整することも可能となる。従って、より多彩な発光色制御を行うことができる。
【００３５】
なお、図５（ａ）、（ｂ）いずれの構成から成るＲＧＢ３色ＬＥＤバックライト駆動回路Ａ３’においても、各ＬＥＤの点灯後、リアルタイムクロックＢ１２の設定時間が経過すると、コアＣＰＵＡ４３は本体ＣＰＵＢ１との間で再度ＵＡＲＴシリアルデータ通信を行い、該データ通信に基づいて各ＬＥＤを消灯する。
【００３６】
上記の実施形態では、オーディオ再生機能付き携帯電話機を手元で操作するためのリモートコントローラを例に挙げて本発明の詳細な説明を行ったが、本発明の適用対象はこれに限定されるものではなく、電子機器（特に通信機器）の遠隔操作を行うリモートコントローラに広く適用することが可能である。また、バックライトの発光色制御手段としては、上記構成以外にも、同色ＬＥＤの電流制限抵抗値を変化させてＬＥＤ輝度を制御する構成や、ＬＥＤレンズの着色透明度や拡散等の組み合わせを制御する構成も考えられる。
【００３７】
【発明の効果】
上記で説明したように、本発明によれば、制御の複雑化や消費電力の増大を招くことなく、ユーザに対して本体機器の動作状態を報知することが可能なリモートコントローラを提供することが可能となる。
【図面の簡単な説明】
【図１】本発明に係るリモートコントローラの第１実施形態を示すブロック図である。
【図２】ＵＡＲＴシリアルデータ通信を説明するための図である。
【図３】バックライトＡ３の発光例を示す図である。
【図４】本発明に係るリモートコントローラの第２実施形態を示すブロック図である。
【図５】ＲＧＢ３色ＬＥＤバックライト駆動回路Ａ３’の一実施形態を示す回路図である。
【符号の説明】
Ａ、Ａ’　　リモートコントローラ（リモコン）
Ａ１　　入力操作部
Ａ２　　液晶表示部
Ａ３　　バックライト
Ａ３’　ＲＧＢ３色ＬＥＤバックライト駆動回路
Ａ４　　リモコンＣＰＵ
Ａ４１　　液晶コントロール部
Ａ４２　　ＵＡＲＴ制御部
Ａ４３　　コアＣＰＵ
Ａ４４　　ＲＯＭ
Ａ４５　　ＲＡＭ
Ａ５　　マイク
Ａ６　　ヘッドフォンジャック
Ｂ　　携帯電話機
Ｂ１　　本体ＣＰＵ
Ｂ１１　　ＵＡＲＴ制御部
Ｂ１２　　リアルタイムクロック
Ｂ１３　　アナログ／ディジタル変換器（Ａ／Ｄ変換器）
Ｂ２　　通信制御部
Ｂ３　　アンテナ
ＳＷ１〜ＳＷｎ　　スイッチ
Ｒ０　　抵抗（プルアップ用）
Ｒ１〜Ｒｎ−１　　抵抗
ａ〜ｅ　　発光ダイオード（ＬＥＤ）
ａ’〜ｅ’　　バックライト点消灯制御端子
ｒａ〜ｒｅ　　抵抗
Ｄｒ、Ｄｇ、Ｄｂ　　発光ダイオード（ＲＧＢ３色ＬＥＤ）
ＣＰ　　昇圧回路
ＦＥＴ１〜ＦＥＴ３　　電界効果トランジスタ
Ｐ１〜Ｐ３　　ＰＷＭ回路
ＰＷＲ　　電源端子
ＧＮＤ　　接地端子
ＲＣ　　リモコンスイッチ検出端子
ＭＩＣ　　マイク端子
ＨＰ＿Ｒ、ＨＰ＿Ｌ　　ヘッドフォン接続端子
ＲＵＡＲＴ、ＴＵＡＲＴ　　ＵＡＲＴ端子
【図１】
2004128831.tif 000003
【図２】
2004128831.tif 000004
【図３】
2004128831.tif 000005
【図４】
2004128831.tif 000006
【図５】
2004128831.tif 000007